(57)【要約】【課題】襟構造を簡単にしてコストを削減でき、また、ネクタイの着用が要求される状況においても体裁を保持でき、さらに、寒い時季において保温効果を発揮して首周りの冷えを解消し、年間を通じて使用することが可能なシャツを提供する。【解決手段】シャツ本体１に設けた襟部２に、吸湿機能および放湿機能を有するメッシュ生地８を配置する。メッシュ生地８は、襟部２の表布６の内側に配置されて、その外面が表布６で覆われる。メッシュ生地８の湾曲方向の長さを、首周りの少なくとも後半周囲を覆う長さに設定する。メッシュ生地８を、疎水性機能を有する吸湿層１５と、吸水性機能を有する放湿層１６と、これら両層１５・１６を連結して両層１５・１６の間に空気層を形成する中間層１７とで三層立体構造に構成して、吸湿層１５が首肌に接触する状態で配置する。【選択図】図１
2013040416.tif 000002
【特許請求の範囲】
【請求項１】
シャツ本体（１）に設けた襟部（２）に、吸湿機能および放湿機能を有するメッシュ生地（８）が配置してあるシャツであって、
メッシュ生地（８）は、襟部（２）の表布（６）の内側に配置されて、メッシュ生地（８）の外面が表布（６）で覆われており、
メッシュ生地（８）の湾曲方向の長さが、首周りの少なくとも後半周囲を覆う長さに設定されており、
メッシュ生地（８）は、疎水性機能を有する吸湿層（１５）と、吸水性機能を有する放湿層（１６）と、これら両層（１５・１６）を連結して両層（１５・１６）の間に空気層を形成する中間層（１７）とで三層立体構造に構成されて、吸湿層（１５）が首肌に接触する状態で配置されているシャツ。
【請求項２】
襟部（２）が、台襟（３）と、台襟（３）の上端に縫合されて外向きに折り返される外襟（４）とで構成されており、
台襟（３）が、表布（６）と、表布（６）の内部に配置される襟芯地（７）と、表布（６）の内面に配置されるメッシュ生地（８）とで構成されており、
外襟（４）と、メッシュ生地（８）の上縁と、表布（６）の上縁との三者が同時に縫着されており、
シャツ本体（１）の上縁と、メッシュ生地（８）の下縁と、表布（６）の下縁との三者が同時に縫着されている請求項１に記載のシャツ。
【請求項３】
メッシュ生地（８）の上下幅が、メッシュ生地（８）の湾曲方向両端から中央部にわたって徐々に大きく設定してある請求項１または２に記載のシャツ。
【発明の詳細な説明】
【技術分野】
【０００１】
本発明は、ワイシャツやポロシャツなどの襟部を有するシャツに関する。
【背景技術】
【０００２】
襟部を有するシャツを着用していると首周りに汗をかいて、べとつきなどの不快感を生じることがある。この種の不快感の解消を図った作業用上着が特許文献１に公知である。そこでは、着用者の首筋と対向する襟部の下方中央部が２重メッシュ布で構成してある。２重メッシュ布は、襟部の表布に縫い付けた穂先形の表メッシュ布と、襟部の裏布に縫い付けた横長長方形状の裏メッシュ布とで構成されている。表メッシュ布は、襟部の表布の下方中央部に形成した弓形状の切り欠き部に縫い付けてある。裏メッシュ布は表メッシュ布よりも小型であり、その左右両側に布片を縫い付けて、表メッシュ布と同様の穂先形に形成してある。この裏メッシュ布を含む穂先形の布片が、襟部の裏布の下方中央部に形成した弓形状の切り欠き部に縫い付けてある。また、外襟の下縁中央部分にもメッシュ地が縫い付けてあり、外襟を折り返したとき、メッシュ地が２重メッシュ布と内外に重合するようになっている。２重メッシュ布は吸汗速乾性の繊維素材からなり、肌面に接触して汗を吸収し、吸収した汗を肌面に戻さず、かつ速やかに乾燥する。また、外襟にメッシュ地を設けることで、２重メッシュ布を介した体熱の放散および外気の取り入れがより効果的に行われる。
【先行技術文献】
【特許文献】
【０００３】
【特許文献１】登録実用新案第３１１７７６２号公報（段落００１８〜００２２）
【発明の概要】
【発明が解決しようとする課題】
【０００４】
特許文献１の作業用上着によれば、首周りの発汗が２重メッシュ布に吸収され、かつ２重メッシュ布が速やかに乾燥するので、暑い時季の作業時や運動時における肌のべとつきが抑えられる。しかし、表布と裏布、表メッシュ布と裏メッシュ布、および裏メッシュ布に縫い付ける左右一対の布片などで襟部を構成するので、襟部構造が複雑になり、生地の裁断から縫製に至る工数が増加し、コストが嵩むのを避けられない。また、着用状態においては、２重メッシュ布の裏メッシュ布と、外襟に設けたメッシュ地のいずれかが襟部の後面に露出する。そのため、特許文献１の襟構造をワイシャツに適用した場合には、ネクタイを締めた状態においてメッシュ地が襟部の後面に露出するのを避けられない。従って、ネクタイの着用が要求される公式の場、商談の場、フォーマルな状況などにおいて、体裁が損われるのを避けられない。また、特許文献１の襟構造は通気性に優れているため、冬季に使用する場合に、冷気がメッシュ地および２重メッシュ布を介して襟部内に侵入して、着用者の首周りが冷えるのを避けられず、従って冬季の使用には向かない。
【０００５】
本発明の目的は、襟構造を簡単にしてコストを削減でき、また、ネクタイの着用が要求される状況においても体裁を保持でき、さらに、寒い時季において保温効果を発揮して首周りの冷えを解消し、年間を通じて使用することが可能なシャツを提供することにある。
【課題を解決するための手段】
【０００６】
本発明は、シャツ本体１に設けた襟部２に、吸湿機能および放湿機能を有するメッシュ生地８を配置したシャツに関する。メッシュ生地８は、襟部２の表布６の内側に配置されて、メッシュ生地８の外面が表布６で覆われる。メッシュ生地８の湾曲方向の長さを、首周りの少なくとも後半周囲を覆う長さに設定する。メッシュ生地８を、疎水性機能を有する吸湿層１５と、吸水性機能を有する放湿層１６と、これら両層１５・１６を連結して両層１５・１６の間に空気層を形成する中間層１７とで三層立体構造に構成して、吸湿層１５が首肌に接触する状態で配置する。
【０００７】
襟部２を、台襟３と、台襟３の上端に縫合されて外向きに折り返される外襟４とで構成する。台襟３を、表布６と、表布６の内部に配置される襟芯地７と、表布６の内面に配置されるメッシュ生地８とで構成する。外襟４と、メッシュ生地８の上縁と、表布６の上縁との三者を同時に縫着する。シャツ本体１の上縁と、メッシュ生地８の下縁と、表布６の下縁との三者を同時に縫着する。
【０００８】
メッシュ生地８の上下幅を、メッシュ生地８の湾曲方向両端から中央部にわたって徐々に大きく設定する。
【発明の効果】
【０００９】
本発明では、吸湿機能および放湿機能を有するメッシュ生地８を、襟部２の表布６の内側に配置するので、襟部を裁断して切り欠き部を形成し、そこにメッシュ布を縫い付ける従来構成に比べて、襟部構造を簡単にすることができ、従って、製造時の裁断および縫製の工数を減らしてコストを削減できる。メッシュ生地８を、吸湿層１５と放湿層１６とその間の中間層１７との三層立体構造に構成すると、メッシュ生地８を一度に取り付けることができるので、２枚のメッシュ布を個別に縫い付ける従来構成に比べて、製造時の裁断および縫製の工数を減らしてコストを削減できる。また、メッシュ生地８の外面を表布６で覆うと、メッシュ生地８が外面に露出するのを避けて、ネクタイの着用が要求される状況においても体裁を保持することができる。
【００１０】
また本発明では、メッシュ生地８の中間層１７に形成した空気層の断熱作用により、寒い時季に着用者の首周りを温かい状態に保持でき、しかも、冷たい外気が吸湿層１５まで到達するのを防ぐことができる。このように、寒い時季にはメッシュ生地８が保温効果を発揮して、首周りの冷えを解消できる。一方、汗をかきやすい暑い時季には、首肌に接触する吸湿層１５で汗を速やかに吸着して、首肌を乾いた状態に保持できる。吸湿層１５に吸着された汗は、中間層１７を介して放湿層１６へ移行するので、吸湿層１５は汗を吸着した後速やかに乾燥する。放湿層１６へ移行した汗は、表布６を介して大気中へ蒸散する。以上のメカニズムにより、着用者の首肌と、これに接する吸湿層１５とを乾いた状態に保持して、汗のべとつきなどの不快感を軽減できる。以上のように、本発明に係るシャツは、寒い時季には首周りの冷えを解消でき、暑い時季には汗のべとつきなどの不快感を軽減でき、従って、年間を通じて使用することが可能である。またメッシュ生地８は、首周りの少なくとも後半周囲を覆う長さに設定してあるので、首周りの広い範囲を保温し、あるいは汗を吸着できる。
【００１１】
襟部２を台襟３と外襟４とで構成し、台襟３を表布６と襟芯地７とメッシュ生地８とで構成する。そして、外襟４と、メッシュ生地８の上縁と、表布６の上縁との三者を同時に縫着する。これによれば、製造時の縫着工数を減らしてコストを削減できる。また、シャツ本体１の上縁と、メッシュ生地８の下縁と、表布６の下縁との三者を同時に縫着することによっても、縫着工数を減らしてコストを削減できる。表布６の内面にメッシュ生地８を配置すると、メッシュ生地８と表布６の間に裏布を配置する場合に比べて台襟３の厚み寸法を小さくすることができるので、台襟３の外径が大きくなるのを防ぐことができる。
【００１２】
メッシュ生地８の上下幅を湾曲方向両端から中央部にわたって徐々に大きく設定すると、中央部を上下広幅にして、寒い時季には首の後部中央を的確に保温でき、暑い時季には首の後部中央に生じた汗をよく吸着できる。
【図面の簡単な説明】
【００１３】
【図１】本発明の実施例に係るワイシャツの襟部の正面図である。
【図２】襟部を展開した状態で示す正面図である。
【図３】図１におけるＡ−Ａ線断面図である。
【発明を実施するための形態】
【００１４】
（実施例）  図１ないし図３は、本発明をワイシャツに適用した実施例を示す。図１に示すようにワイシャツは、シャツ本体１と、シャツ本体１の上端に設けられた襟部２とを備えている。シャツ本体１は、左右の前身頃と、後身頃、左右の袖などで構成してあり、前身頃から後身頃にわたって形成した襟ぐりに襟部２が設けてある。襟部２は、シャツ本体１の上端に縫合された台襟３と、台襟３の上端に縫合されて外向きに折り返された外襟４とで構成される。
【００１５】
図２および図３に示すように台襟３は、表布６と、表布６の内部に配置される襟芯地７と、吸湿機能および放湿機能を有するメッシュ生地８とで構成される。表布６はシャツ本体１と同様の布生地からなり、襟芯地７は表布６よりも薄手の布生地からなる。これら両者６・７は、メッシュ生地８とともに、シャツ本体１の上縁に縫合される。
【００１６】
メッシュ生地８の外面は表布６で覆われ、メッシュ生地８の内面は着用者の首肌に対向する。メッシュ生地８の上下幅は、左右方向（湾曲方向）両端から中央部にわたって徐々に大きく設定してあり、中央部において上下幅（Ｈ）が最大になっている。
【００１７】
図３に示すように、表布６の上下の縫着縁１１は、襟芯地７の上下縁を挟むように内側へ折り込まれており、メッシュ生地８の上下の縫着縁１２は外側へ折り込まれている。つまり、表布６の縫着縁１１と、メッシュ生地８の縫着縁１２とは、互いに対向する向きに折り込まれている。表布６とメッシュ生地８の上側の縫着縁１１・１２の間に、外襟４の一端縁を挟み込んだ状態で、これら三者１１・１２・４が同時に縫着されている。また、表布６とメッシュ生地８の下側の縫着縁１１・１２の間に、シャツ本体１の上縁を挟み込んだ状態で、これら三者１１・１２・１が同時に縫着されている。
【００１８】
メッシュ生地８は、網織状に形成された疎水性機能を有する内面の吸湿層１５と、編地状に形成された吸水性機能を有する外面の放湿層１６と、これら両層１５・１６を連結する中間層１７とで三層立体構造（ダブルラッセル構造）のメッシュ生地として構成してある。吸湿層１５には、丸穴状の網目開口１８が斜め格子状に形成されている。放湿層１６にも開口が形成されるが、その大きさは吸湿層１５の網目開口１８に比べて格段に小さい。中間層１７を形成する連結糸は極細繊維で形成してあって、連結糸これ自体の毛細管現象によって吸湿層１５で吸着の汗を放湿層１６へ移行させ、さらに吸湿層１５と放湿層１６との間に空気層を形成する。上記のように三層立体構造としたメッシュ生地８は、それ自体がクッション性を備えており、この実施例では、生地厚みが１．５〜２ｍｍのメッシュ地を裁断してメッシュ生地８を形成した。
【００１９】
上記のように構成したシャツを着用すると、首周りに汗をかいても、その汗はメッシュ生地８の内面の吸湿層１５によって速やかに吸着される。吸湿層１５に吸着された汗は、中間層１７の毛細管現象によって放湿層１６へ不可逆的に移行するので、吸湿層１５は汗を吸着した後速やかに乾燥する。放湿層１６へ移行した汗は、放湿層１６の外面側の空気や、中間層１７の空気層を構成する空気と接触して蒸発し、図３に矢印で示すように、襟芯地７および表布６を介して台襟３と外襟４の間の空間へ蒸散する。以上のメカニズムにより、首周りに汗をかいても、首肌とこれに接する吸湿層１５とを乾いた状態に保持することができるので、汗のべとつきなどの不快感を大きく軽減できる。
【００２０】
一方、寒い時季には、中間層１７に形成した空気層の断熱作用により、着用者の首周りを温かい状態に保持でき、しかも、冷たい外気が吸湿層１５まで到達するのを防ぐことができる。このように、寒い時季にはメッシュ生地８が保温効果を発揮して、首周りの冷えを解消できる。従って、本実施例に係るシャツは、暑い時季には汗のべとつきなどの不快感を軽減でき、寒い時季には首周りの冷えを解消でき、従って、年間を通じて使用することが可能である。
【００２１】
台襟３に設けたシャツの上端のボタンを留めない場合は、着用者の首周りとメッシュ生地８との間に隙間が形成されるので、ボタンを留める場合に比べてメッシュ生地８における通気が活発になって、放湿層１６における汗の蒸散が促される。一方、上端のボタンを留め、あるいはネクタイを着用した状態では、着用者の首周りにメッシュ生地８がフィットして肌面が保温され、さらに、メッシュ生地８における通気量が少なくなり、中間層１７の断熱効果が高まる。上記のようにメッシュ生地８はそれ自体がクッション性を備えているので、メッシュ生地８は首周りに心地よくフィットする。
【００２２】
以上のように、本実施例では、吸湿機能および放湿機能を有するメッシュ生地８を表布６の内側に縫着するので、襟部を裁断して切り欠き部を形成し、そこにメッシュ布を縫い付ける従来構成に比べて、襟部構造を簡単にすることができ、従って、製造時の裁断および縫製の工数を減らしてコストを削減できる。メッシュ生地８を、吸湿層１５と放湿層１６とその間の中間層１７との三層立体構造に構成すると、一度の縫着でメッシュ生地８を取り付けることができるので、２枚のメッシュ布を個別に縫い付ける従来構成に比べて、製造時の裁断および縫製の工数を減らしてコストを削減できる。また、メッシュ生地８の外面を表布６で覆うと、メッシュ生地８が外面に露出するのを避けることができるので、ネクタイの着用が要求される状況においても体裁を保持できる。
【００２３】
その他、メッシュ生地８は、縫着以外に接着などで表布６の内側に取り付けることができる。表布６とメッシュ生地８との間に裏布を配置することができる。メッシュ生地８は台襟３の湾曲方向の全長にわたって配置する必要は無い。またメッシュ生地８は、１枚の生地で構成する必要は無く、複数枚の生地を湾曲方向に並べてメッシュ生地８を構成してもよい。その場合には、湾曲方向に隣接するメッシュ生地８の縫着縁の間に小さな隙間を形成して通気隙間とすることができる。本発明は、襟を有するワイシャツ以外の上衣、例えばポロシャツやパジャマのシャツ、あるいはスタンドカラー（立ち襟）の上衣にも適用することができる。
【符号の説明】
【００２４】
１  シャツ本体
２  襟部
３  台襟
４  外襟
６  表布
７  襟芯地
８  メッシュ生地
１５  吸湿層
１６  放湿層
１７  中間層
【図１】
2013040416.tif 000003
【図２】
2013040416.tif 000004
【図３】
2013040416.tif 000005